【事件の表示】
　特許第５８２２４２４号発明「電極、リチウム電池及び電極製造方法」の特許異議申立事件について、次のとおり決定する。
【結　論】
　特許第５８２２４２４号の特許請求の範囲を訂正請求書に添付された訂正特許請求の範囲のとおり、訂正後の請求項〔１〜９〕について訂正することを認める。
　特許第５８２２４２４号の請求項１〜９に係る特許を維持する。
【理　由】
第１　手続の経緯 
　特許第５８２２４２４号（以下、「本件特許」という。）の請求項１〜１７に係る特許についての出願（特願２００８−３０３０９５）は、平成２０年１１月２７日（パリ条約による優先権主張２００８年　１月１５日、韓国）に出願され、平成２７年１０月１６日に特許権の設定の登録がされたものである。 
　その後、本件特許について、特許異議申立人磯瑠里子（以下「申立人」という。）により特許異議の申立てがされ、平成２８年　９月３０日付けで当審より取消理由（以下「取消理由」という。）が通知され、同年１２月２８日に特許権者より意見書及び訂正請求書が提出され、平成２９年　３月　７日付けで当審より訂正拒絶理由が通知され、同年　５月　１日に特許権者より意見書が提出され、さらに、同年　５月１９日付けで当審より取消理由（以下「決定の予告」という。）が通知され、同年　８月２２日に特許権者より意見書及び訂正請求書（以下「本件訂正請求書」という。また、当該請求書による訂正請求を以下「本件訂正請求」という。）が提出され、本件訂正請求に対して申立人に意見を求めたところ、意見書の提出はなされなかったものである。　
  
第２　訂正の適否についての判断
１　請求の趣旨・本件訂正の内容 
　本件訂正請求に係る訂正（以下「本件訂正」という。）の趣旨は、特許第５８２２４２４号の特許請求の範囲を、本件訂正請求書に添付した訂正特許請求の範囲のとおり、訂正後の請求項１〜９について訂正することを求めるというものである。
　ここで、本件訂正の内容は、以下のとおりである。なお、下線は訂正箇所を示している。
 
（１）訂正事項１
　特許請求の範囲の請求項１に
「集電体と、
　前記集電体上に配された導電性網目構造体及び補湿剤を含む導電層と、
　前記導電性網目構造体及び補湿剤を含む導電層上に配された活物質組成物を含む活物質層と、
　前記導電層と活物質層が部分的だけで混合した混合活物質層と、を含んで、
　前記混合活物質層が、活物質組成物及び網目構造体を含み、
　前記網目構造体がカーボンナノチューブと水溶性結着剤とを含んで、
　前記網目構造体で前記カーボンナノチューブの重量割合が結着剤より高い電極。」とあるのを、
「集電体と、
　前記集電体上に配された導電性網目構造
体を
　前記導電性網目構造
体を
、
及び補湿剤
　前記導電層と活物質層が部分的だけで混合した混合活物質層と、を含んで、
　前記混合活物質層が、活物質組成物及び網目構造体を含み、
　前記網目構造体がカーボンナノチューブと水溶性結着剤とを含んで、
　前記網目構造体で前記カーボンナノチューブの重量割合が結着剤より高い電極。」に訂正する。
　また、請求項１を引用する請求項２〜９も同様に訂正する。
 ２　訂正の可否について 
（１）　訂正の目的の適否
　ア　訂正事項１は、請求項１に記載された「集電体上に配された導電性網目構造体及び補湿剤を含む導電層」を「集電体上に配された導電性網目構造
体を
体を
、
及び補湿剤
　イ　まず、「補湿剤」が「電極」のどの層に含まれるものであるかに関して、本件特許明細書の記載を確認する。なお、下線は当審が付与したものであり、「…」は記載の省略を表す。
「【００２０】
　本発明の他の具現例によれば、
前記網目構造体は、前記集電体と前記活物質組成物を含む層との間に導電層として配されることが望ましい
前記活物質組成物は導電層の一部、例えば、導電層の表面部分のみに配されうる
【００２１】
　前記導電層の厚さは５〜１０００ｎｍが望ましい。前記導電層の厚さが１０００ｎｍを超過すれば、電極の体積当たり容量密度が小さくなり、５ｎｍ未満は実際に具現され難い。
【００２２】
　
活物質組成物に使われる電極活物質、導電材、界面活性剤及び／または溶媒は、当該技術分野で一般的に使われるものならば限定されない。前記活物質組成物は電極インクでありうる
「【００２４】
　本発明の他の具現例によれば、
前記電極の製造方法は、集電体上にカーボンナノチューブと結着剤とを含む分散液がコーティングされてコーティング層が形成される工程と、前記コーティング層上に電極インクが印刷されて活物質層が形成される工程と、を含む
【００２５】
　本発明の他の具現例によれば、
前記分散液は分散剤をさらに含むことができる
【００２６】
　
前記カーボンナノチューブと結着剤とを含む分散液は、前記カーボンナノチューブと結着剤とを溶媒で混合した後、遠心分離させて沈殿物を除去した後で得られた分散液である
分散液を集電体上にコーティングしてコーティング層を形成する方法は、スプレーコーティングなどである
前記コーティング層には、カーボンナノチューブと結着剤とからなる網目構造体が含まれる
【００２７】
　電極インク及び分散液のコーティング回数、電極インク及び分散液の製造に使われる溶媒の種類によって、前記コーティング層と活物質組成物層（電極インク層）とは完全に混合されて、最終的な電極でコーティング層が別個の層としてそれ以上存在せず、すなわち、網目構造体と活物質組成物とが単一の活物質層を形成できる。または、
前記コーティング層と活物質層とが部分的のみに混合されてコーティング層と活物質組成物層とが別個の層として存在することもある
「【００３５】
　まず、電極インクが製造される。
電極インクは電極活物質、極性媒質、補湿剤を混合し、さらに導電材、結着剤、分散剤、リチウム塩及び／または緩衝剤などを添加して製造されうる
【００３６】
　前記
電極活物質としては
ＬｉＦｅＰＯ
４
【００３７】
　前記電極活物質が正極活物質であるか、または負極活物質であるかによって、前記電極活物質が含まれるインクジェットプリント用電極インクが正極インクまたは負極インクになる。前記電極活物質の含有量は電極インク総重量の０．１ないし１０重量％であるが、必ずしもこれらの範囲に限定されない。
前記極性媒質は、主成分として水が含まれ、補助成分としてメタノール、エタノール、ブタノール、プロパノール、イソプロパノール、イソブチルアルコール、Ｎ−メチル−２−ピロリドンなどの極性有機溶媒が含まれうる
【００３８】
　前記
補湿剤は、極性媒質の揮発性を低めるために使われ、グリコール類が使われうる
エチレングリコール、ジエチレングリコール、プロピレングリコールなどである
「【００４９】
（
電極インクの製造
〈製造例１〉
　
水５８．３ｇ
エチレングリコール３０．９ｇ、ジエチレングリコール１．９ｇ
ＬｉＦｅＰＯ
４
  １．５２ｇ
電極インクを製造した
【００５０】
（電極コーティング用組成物の製造）
〈実施例１〉
　
蒸溜水３０ｍｌにカルボキシメチルセルロース（ＣＭＣ）１５ｍｇを溶解させた後、多層カーボンナノチューブ（イルジンナノテク、韓国、ＣＭ−９５）３０ｍｇを添加して超音波で５時間分散させた。次いで、前記溶液を１００００ｒｐｍで１０分間遠心分離させて沈殿物を除去し、カーボンナノチューブとカルボキシメチルセルロースとが分散された分散液を得た
【００５１】
（電極の製造）
〈実施例２〉
　実施例１で製造された
分散液を厚さ１５μｍのアルミニウム集電体上にスプレーコーティングした
【００５２】
　次いで、前記コーティングされたアルミニウム集電体を１０ｃｍ×８ｃｍサイズに切断して、ＰＥＴ（ポリエチレンテレフタレート）フィルム上に付着した。次いで、
前記コーティングされたアルミニウム集電体上に、前記製造例１で製造された電極インクを使用して８ｃｍ×６ｃｍサイズのパターンを印刷した。印刷に使われたプリンタは、ＨＰ  Ｄｅｓｋｊｅｔ  ５５５０インクジェットプリンタであった
　ウ　段落【００２４】〜【００２６】の記載によれば、分散液は、カーボンナノチューブ、結着剤、分散剤と溶媒を含むものであり、段落【００５０】を参照すれば、上記溶媒とは、蒸溜水を意味するものである。
　そして、段落【００２４】の記載によれば、分散液を集電体上にコーティングすることによって、コーティング層が形成され、段落【００２６】によれば、コーティング層には、カーボンナノチューブと結着剤とからなる「網目構造体」が含まれる。
　したがって、集電体上に分散液をコーティングすることによって形成されるコーティング層は、「網目構造体」が含まれる層であるところ、段落【００２０】によれば、「網目構造体」は、集電体と「活物質組成物」を含む層との間に「導電層」として配されるものであるから、コーティング層は「導電層」とも表現されているものであることが理解できる。
　よって、集電体上に分散液をコーティングすることによって形成される「導電層」は、「網目構造体」を含むものであるといえるが、本件特許明細書全体を精査しても、分散液に「補湿剤」が含まれることについて当業者が確認できるような記載は見出せないため、「導電層」に「補湿剤」が含まれているとはいえない。
　エ　一方、段落【００３５】、【００３７】、【００３８】、【００４９】の記載によれば、電極インクは、電極活物質、極性媒質、「補湿剤」、導電材、結着剤、分散剤を含むものであり、段落【００２２】の記載によれば、電極活物質、導電材、溶媒は「活物質組成物」に使われるものであるから、媒質と溶媒は同義であることを勘案して、こららの記載を総合すると、電極インクは、「活物質組成物」と「補湿剤」を含むものである。
　そして、段落【００２４】の記載によれば、電極インクをコーティング層上に印刷することによって「活物質層」が形成されるから、電極インクによって形成される「活物質層」には、「活物質組成物」と「補湿剤」が含まれているといえる。
　なお、「活物質層」を形成するための電極インクに含まれる「補湿剤」が、電極製造後にも「活物質層」に残存している点について、本件特許明細書には明記されていないけれども、平成２９年　８月２２日付けで特許権者によって提出された意見書の第５頁１５〜２１行に説明されているとおり、「補湿剤」として選択される物質は「エチレングリコール、ジエチレングリコール、プロピレングリコールなど」（段落【００３８】）であり、電極インクの乾燥の条件は「２０〜２００℃の真空雰囲気で１分〜８時間」（段落【００４５】）であることを踏まえると、かかる乾燥の条件において、エチレングリコール、ジエチレングリコール、プロピレングリコールが蒸発しない条件を選択して「補湿剤」を活物質層に残存させ得るものであることは、当業者にとって自明といえる。
　オ　以上から、本件特許明細書には、「活物質層」に「活物質組成物」とともに「補湿剤」が含まれることが記載されているが、「導電層」に「網目構造体」とともに「補湿剤」が含まれることは記載も示唆もされていない。
　カ　したがって、本件訂正前の請求項１の「導電性網目構造体及び補湿剤を含む導電層」及び「活物質組成物を含む活物質層」なる記載は、「補湿剤」が「活物質層」ではなく「導電層」に含まれるものとなっている点において、本件特許明細書の記載と整合していないところ、本件訂正によって、上記本件訂正前の記載をそれぞれ、「導電性網目構造体を含む導電層」及び「活物質組成物及び補湿剤を含む活物質層」と訂正することによって、「補湿剤」が「導電層」ではなく「活物質層」に含まれることとなったので、請求項１の記載は、本件特許明細書の記載と整合するものとなった。
　キ　よって、訂正事項１は、本件特許明細書の記載と整合していない請求項１の記載を、本件特許明細書の記載と整合する記載とするものであるから、特許法第１２０条の５第２項ただし書き第３号に掲げる明瞭でない記載の釈明を目的とするものに該当する。
（２）　新規事項の追加と特許請求の範囲の拡張・変更の存否 
　ア　上記（１）で検討したように、訂正事項１は、本件特許明細書の記載と整合していない請求項１の記載を、本件特許明細書の記載と整合する記載とするものであるから、訂正事項１は、願書に添付した明細書に記載した事項の範囲内においてしたものであることは明らかであるし、実質上特許請求の範囲を拡張し、又は変更するものでもない。
　イ　したがって、訂正事項１は、特許法第１２０条の５条第９項で準用する特許法第１２６条第５項、第６項の規定に適合するものである。
（３）　一群の請求項について
　訂正事項１に係る本件訂正前の請求項２〜９は、請求項１を引用するものであって、訂正事項１によって記載が訂正される請求項１に連動して訂正されるものである。したがって、訂正前の請求項１〜９に対応する訂正後の請求項１〜９は、特許法第１２０条の５第４項に規定する一群の請求項である。
（４）　訂正の適否についての結論 
　以上のとおりであるから、本件訂正は、特許法第１２０条の５第２項ただし書き第３号に掲げる事項を目的とするものに該当し、同条第４項の規定に適合し、同条第９項において準用する同法第１２６条第５項、第６項の規定に適合するので、適法な訂正である。
　したがって、請求項〔１〜９〕からなる一群の請求項に係る本件訂正を認める。
第３　当審の判断 
１　本件発明 
　上記第２で検討したように、本件訂正は認められたので、本件訂正後の請求項１〜９に係る発明（以下、「本件発明１〜９」という。）は、本件訂正請求書に添付した訂正特許請求の範囲の請求項１〜９に記載された次の事項により特定されるとおりのものである。 
「【請求項１】
　集電体と、
　前記集電体上に配された導電性網目構造体を含む導電層と、
　前記導電性網目構造体を含む導電層上に配され、活物質組成物及び補湿剤を含む活物質層と、
　前記導電層と活物質層が部分的だけで混合した混合活物質層と、を含んで、
　前記混合活物質層が、活物質組成物及び網目構造体を含み、
　前記網目構造体がカーボンナノチューブと水溶性結着剤とを含んで、
　前記網目構造体で前記カーボンナノチューブの重量割合が結着剤より高い電極。
【請求項２】
　前記網目構造体が、分散剤をさらに含むことを特徴とする請求項１に記載の電極。
【請求項３】
　前記網目構造体を形成するカーボンナノチューブが、電気的に互いに連結されていることを特徴とする請求項１または請求項２のいずれかに記載の電極。
【請求項４】
　前記網目構造体で３つ以上の他のカーボンナノチューブと電気的に互いに連結されたカーボンナノチューブが一つ以上存在することを特徴とする請求項３に記載の電極。
【請求項５】
　前記カーボンナノチューブの縦横比が１０以上であることを特徴とする請求項１から請求項４のいずれか一項に記載の電極。
【請求項６】
　前記カーボンナノチューブは、単層カーボンナノチューブ、二層カーボンナノチューブ、多層ナノチューブ、束型カーボンナノチューブ及びこれらの組み合わせからなる群から選択された１つ以上であることを特徴とする請求項１から請求項５のいずれか一項に記載の電極。
【請求項７】
　前記カーボンナノチューブの含有量が、前記活物質層総重量の０．０１〜２０重量％であることを特徴とする請求項１から請求項６のいずれか一項に記載の電極。
【請求項８】
　前記網目構造体の炭素含有量は、前記活物質組成物の炭素含有量に比べて１．３倍以上高いことを特徴とする請求項１から請求項７のいずれか一項に記載の電極。
【請求項９】
　請求項１から請求項８のいずれか一項に記載の電極が採用されたことを特徴とするリチウム電池。」
２　取消理由通知に記載した取消理由について 
（１）本件訂正前の請求項１〜９に係る特許に対して平成２８年　９月３０日付けで通知した取消理由の概要は、次のとおりである。
 
　ア　平成２６年　９月２４日付けの手続補正書による補正は、願書に最初に添付した明細書、特許請求の範囲又は図面（以下「当初明細書等」という。）の全ての記載を総合することにより導かれる技術的事項との関係において、新たな技術的事項を導入するものであるから、請求項１〜９に係る本件特許は、特許法第１７条の２第３項に規定する要件を満たしていない補正をした特許出願に対してなされたものであるので、取り消されるべきものである（以下、「取消理由１という。」）。 
  
　イ　本件特許の請求項１〜９に係る発明は、発明の詳細な説明に記載したものであるとはいえないから、請求項１〜９に係る本件特許は、特許法第３６条第６項第１号に規定する要件を満たしていない特許出願に対してなされたものであるので、取り消されるべきものである（以下、「取消理由２」という。）。 
（２）取消理由１、２についての当審の判断 
　ア　本件訂正前の請求項１に係る発明は、「前記集電体上に配された導電性網目構造体及び補湿剤を含む導電層」と「前記導電性網目構造体及び補湿剤を含む導電層上に配された活物質組成物を含む活物質層」と「前記導電層と活物質層が部分的だけで混合した混合活物質層」の３層からなる構造（以下「３層構造」という。）を備えることを特定事項として含む、「電極」についての発明であるところ、「３層構造」を備える「電極」において、「導電層」が「保湿剤」を含むことについては、平成２６年９月２４日付けの手続補正書（甲第２号証）によって、請求項１に記載されることとなったものであるが、「導電層」が「保湿剤」を含むことは、当初明細書等に記載も示唆もされておらず、上記手続補正書による補正は、当初明細書等の全ての記載を総合することにより導かれる技術的事項との関係において、新たな技術的事項を導入するものであった。
　イ　しかしながら、上記第２の２（１）で検討したとおり、本件訂正前の請求項１の「導電性網目構造体及び補湿剤を含む導電層」及び「活物質組成物を含む活物質層」なる記載は、「補湿剤」が「活物質層」ではなく「導電層」に含まれるものとなっている点において、本件特許明細書の記載と整合していないものであったところ、本件訂正によって、上記本件訂正前の記載をそれぞれ、「導電性網目構造体を含む導電層」及び「活物質組成物及び補湿剤を含む活物質層」と訂正することによって、「補湿剤」が「導電層」ではなく「活物質層」に含まれることとなったので、請求項１と、請求項１を引用する請求項２〜９の記載は、本件特許明細書の記載と整合するものとなった。
　つまり、本件訂正によって、上記アに記載した、平成２６年９月２４日付けの手続補正書によって、請求項１に記載されることとなった、「３層構造」を備える「電極」において「導電層」が「保湿剤」を含むことについては、本件訂正後の請求項１と、請求項１を引用する請求項２〜９に記載されないものとなった。
　ウ　したがって、本件訂正後の請求項１〜９は、当初明細書等の全ての記載を総合することにより導かれる技術的事項との関係において、新たな技術的事項を導入していないものであり、また、本件訂正後の請求項１〜９に係る発明は、発明の詳細な説明に記載したものである。
　エ　よって、上記（１）に記載した取消理由１、２は、いずれも、本件訂正によって解消したから、本件訂正後の請求項１〜９に係る本件特許は、上記取消理由１、２によって取り消すことはできない。
３　取消理由通知に採用しなかった特許異議申立理由について 
（１）特許法第３６条第４項第１号について
　ア　申立人は、特許異議申立書の第８頁１０〜１７行において、本件特許の請求項１に係る、「導電層／混合活物質層／活物質層」の「３層構造」を備える「電極」であって、「導電層」が「導電性網目構造体及び補湿剤を含む」ものについては、実施例において何ら説明されていないから、本件特許明細書等の記載並びに出願時の技術常識を考慮しても、本件請求項１に係る３層構造を含む電極をどのように作るか、当業者といえども理解することはできず、したがって、本件特許明細書の発明の詳細な説明は、その発明の属する技術分野における通常の知識を有する者がその実施をすることができる程度に明確かつ十分に記載されたものとはいえない旨主張している。
　イ　しかしながら、上記第２の２（１）で検討したとおり、本件訂正前の請求項１の「導電性網目構造体及び補湿剤を含む導電層」及び「活物質組成物を含む活物質層」なる記載は、「補湿剤」が「活物質層」ではなく「導電層」に含まれるものとなっている点において、本件特許明細書の記載と整合していないものであったところ、本件訂正によって、上記本件訂正前の記載をそれぞれ、「導電性網目構造体を含む導電層」及び「活物質組成物及び補湿剤を含む活物質層」と訂正することによって、「補湿剤」が「導電層」ではなく「活物質層」に含まれることとなったので、請求項１と、請求項１を引用する請求項２〜９の記載は、本件特許明細書の記載と整合するものとなった。
　ウ　したがって、本件訂正後の請求項１に記載された、３層構造を含む電極は、本件特許明細書の発明の詳細な説明に記載されたものであり、本件特許明細書の発明の詳細な説明は、その発明の属する技術分野における通常の知識を有する者がその実施をすることができる程度に明確かつ十分に記載されたものといえるから、本件訂正後の請求項１と、請求項１を引用する請求項２〜９に係る本件発明に関して、発明の詳細な説明の記載は、特許法第３６条第４項第１号に規定する要件を満たしている。
　よって、申立人の上記アの主張は採用できない。　
第４　むすび 
　以上のとおり、平成２９年　８月２２日付けの訂正請求書による本件訂正は適法なものである。
　また、取消理由通知に記載した取消理由及び特許異議申立書に記載した特許異議申立理由によっては、本件訂正後の請求項１〜９に係る特許を取り消すことはできないし、他に本件訂正後の請求項１〜９に係る特許を取り消すべき理由を発見しない。
　よって、結論のとおり決定する。
【異議決定日】
平成２９年１１月１４日（２０１７．１１．１４）
【訂正の要旨】
審決（決定）の【理由】欄参照。
（５７）【特許請求の範囲】
　【請求項１】
　集電体と、
　前記集電体上に配された導電性網目構造
体を
　前記導電性網目構造
体を
、
及び補湿剤
　前記導電層と活物質層が部分的だけで混合した混合活物質層と、を含んで、
　前記混合活物質層が、活物質組成物及び網目構造体を含み、
　前記網目構造体がカーボンナノチューブと水溶性結着剤とを含んで、
　前記網目構造体で前記カーボンナノチューブの重量割合が結着剤より高い電極。
　【請求項２】
　前記網目構造体が、分散剤をさらに含むことを特徴とする請求項１に記載の電極。
　【請求項３】
　前記網目構造体を形成するカーボンナノチューブが、電気的に互いに連結されていることを特徴とする請求項１または請求項２のいずれかに記載の電極。
　【請求項４】
　前記網目構造体で３つ以上の他のカーボンナノチューブと電気的に互いに連結されたカーボンナノチューブが一つ以上存在することを特徴とする請求項３に記載の電極。
　【請求項５】
　前記カーボンナノチューブの縦横比が１０以上であることを特徴とする請求項１から請求項４のいずれか一項に記載の電極。
　【請求項６】
　前記カーボンナノチューブは、単層カーボンナノチューブ、二層カーボンナノチューブ、多層ナノチューブ、束型カーボンナノチューブ及びこれらの組み合わせからなる群から選択された１つ以上であることを特徴とする請求項１から請求項５のいずれか一項に記載の電極。
　【請求項７】
　前記カーボンナノチューブの含有量が、前記活物質層総重量の０．０１〜２０重量％であることを特徴とする請求項１から請求項６のいずれか一項に記載の電極。
　【請求項８】
　前記網目構造体の炭素含有量は、前記活物質組成物の炭素含有量に比べて１．３倍以上高いことを特徴とする請求項１から請求項７のいずれか一項に記載の電極。
　【請求項９】
　請求項１から請求項８のいずれか一項に記載の電極が採用されたことを特徴とするリチウム電池。
　【請求項１０】
　カーボンナノチューブと結着剤とを含む分散液で集電体をコーティングする工程と、
　前記コーティングされた集電体上に、活物質とともに補湿剤を含む電極インクを印刷する工程と、を含む電極製造方法。
　【請求項１１】
　前記分散液が、分散剤をさらに含むことを特徴とする請求項１０に記載の電極製造方法。
　【請求項１２】
　前記集電体をコーティングする工程が、カーボンナノチューブと結着剤とを含む網目構造体を形成する工程を含むことを特徴とする請求項１０または請求項１１のいずれかに記載の電極製造方法。
　【請求項１３】
　前記分散液が、分散剤をさらに含むことを特徴とする請求項１２に記載の電極製造方法。
　【請求項１４】
　前記分散液は、５〜１０００ｎｍの厚さにコーティングされることを特徴とする請求項１０から請求項１３のいずれか一項に記載の電極製造方法。
　【請求項１５】
　前記電極インクに使われた溶媒が、前記分散液に使われた溶媒と同じものであることを特徴とする請求項１０から請求項１４のいずれか一項に記載の電極製造方法。
　【請求項１６】
　前記分散液に含まれた固形分には、カーボンナノチューブ１００重量部に対して、結着剤５ないし１０００重量部が混合されていることを特徴とする請求項１０から請求項１５のいずれか一項に記載の電極製造方法。
　【請求項１７】
　前記固形分には、カーボンナノチューブ１００重量部に対して、分散剤５０重量部以下がさらに混合されていることを特徴とする請求項１６に記載の電極製造方法。